(57)【要約】【課題】着用者が吸収性物品の吸収性能を直感的に把握して、吸収性物品を選択することができる吸収性製品を提供する。【解決手段】本発明に係る吸収性物品１は、吸収性物品の吸収性能に対応付けられた表示要素６０を有する性能表示部５１、５２を備えており、表示要素６０は、絵柄及び／又は記号であって、表示要素の内容及び数によって吸収性物品の吸収性能を示す。【選択図】図１
2012115343.tif 000002
【特許請求の範囲】
【請求項１】
液透過性の表面シートと、液不透過性の裏面シートと、前記表面シートと前記裏面シートとの間に配置される吸収体とを有する吸収性物品であって、
前記吸収性物品の吸収性能に対応付けられた表示要素を有する性能表示部を備えており、
前記表示要素は、絵柄及び／又は記号であって、該表示要素の内容及び数によって該吸収性物品の吸収性能を示す、吸収性物品。
【請求項２】
前記吸収性物品は、第１吸収性能を有する第１吸収性物品と、該第１吸収性能と異なる第２吸収性能を有する第２吸収性物品と、を備え、
前記第１吸収性物品は、前記第１吸収性能を示す第１性能表示部を有しており、
前記第２吸収性物品は、前記第２吸収性能を示す第２性能表示部を有する、請求項１に記載の吸収性物品。
【請求項３】
前記第１吸収性物品は、該第２吸収性物品よりも長手方向の長さが長く構成されており、
前記表示要素の数は、前記長手方向の長さに応じており、前記第１吸収性物品よりも前記第２吸収性物品の方が多い、請求項２に記載の吸収性物品。
【請求項４】
前記表面シートは、着用者の体液排出部と当接するように構成され、
前記体液排出部と当接する領域に対する長手方向後方の長さは、前記第１吸収性物品よりも前記第２吸収性物品の方が長く構成されており、
前記表示要素の数は、前記体液排出部と当接する領域に対する長手方向後方の長さに応じている、請求項３に記載の吸収性物品。
【請求項５】
前記性能表示部は、前記体液排出部と当接する領域に対する前記長手方向後方に配置されている、請求項４に記載の吸収性物品。
【請求項６】
前記体液排出部と当接する領域に対する長手方向後方は、該体液排出部と当接する領域に対する長手方向前方よりも長手方向の長さが長く構成され、かつ該長手方向前方と同じ長さの後方基部と、該後方基部に連なり該後方基部よりも長手方向外側に配置された延設部と、を有しており、
前記性能表示部は、少なくとも前記延設部に配置されている、請求項４又は請求項５に記載の吸収性物品。
【請求項７】
前記吸収性物品は、第１吸収性物品と、該第１吸収性物品と同じ吸収性能を有する第２吸収性物品と、を備えており、
前記性能表示部は、少なくとも二種類以上の前記表示要素の組み合わせによって前記吸収性物品の吸収性能を示すように構成されており、
前記第１吸収性物品の前記性能表示部及び前記第２吸収性物品の前記性能表示部は、互いに異なる前記表示要素を少なくとも１以上有し、かつ該表示要素の数が同じである、請求項１に記載の吸収性物品。
【請求項８】
前記性能表示部は、前記表面シートに設けられている、請求項１から請求項７のいずれかに記載の吸収性物品。
【請求項９】
前記性能表示部は、複数の前記表示要素を備えており、
前記表示要素は、前記吸収性物品の長手方向外側に向かって除々に大きくなるように構成されている、請求項１から請求項８のいずれかに記載の吸収性物品。
【請求項１０】
前記表面シート側の面には、前記表面シートから前記裏面シートへ向かう厚さ方向に圧搾された圧搾部が形成されており、
前記表示要素は、前記圧搾部によって構成されている、請求項１から請求項９のいずれかに記載の吸収性物品。
【請求項１１】
前記圧搾部は、前記表面シート及び前記吸収体が前記厚み方向において圧搾されて形成されている、請求項１０に記載の吸収性物品。
【請求項１２】
前記表示要素の前記吸収性物品の幅方向における長さは、該吸収性物品の長手方向の位置に応じて変化するように構成されており
前記表示要素の幅方向における長さが最大となる位置は、前記長手方向における該表示要素の両端部よりも内側である、請求項１０又は請求項１１に記載の吸収性物品。
【請求項１３】
前記表示要素は、その中心から周囲に向かって放射状に延びる星形、花形、太陽の絵柄のうち少なくともいずれの絵柄である、請求項１０から請求項１２のいずれかに記載の吸収性物品。
【請求項１４】
前記圧搾部は、一定の領域を囲むように配置されている、請求項１０から請求項１３のいずれかに記載の吸収性物品。
【請求項１５】
上記請求項１から請求項１４のいずれかに記載の吸収性物品を収容する吸収性物品の包装体であって、
前記吸収性物品の前記性能表示部に対応付けられた包装性能表示部を備える、吸収性物品の包装体。
【発明の詳細な説明】
【技術分野】
【０００１】
本発明は、吸収性物品及び吸収性物品の包装体に関する。
【背景技術】
【０００２】
特許文献１には、吸収性構造が異なる２種類の吸収性物品を収容したケースが記載されている。２種類の吸収性物品のうち一方の吸収性物品の外面には、星形の目印が付されており、他方の吸収性物品の外面には、目印が付されていない。着用者は、目印の有無によって２種類の吸収性物品を区別する。また、別の吸収性物品の外面には、吸収性物品の特徴を示す文字が付されている。
【先行技術文献】
【特許文献】
【０００３】
【特許文献１】特開２００８−５１４３４９号公報（図２Ａ、段落００２７、及び段落００２８等）。
【発明の概要】
【発明が解決しようとする課題】
【０００４】
ところで、着用者によっては、複数種類の吸収性物品を常備しておき、使用時に吸収性物品を選択して使用することがある。上述の吸収性物品によれば、着用者は、目印の違いによって２種類の吸収性物品を区別することができ、また文字によって吸収性物品の特徴を把握して、吸収性物品を選択することができる。しかし、着用者は、吸収性物品の特徴を文字によって認識するため、その特徴を直感的に把握して選択し難い。また、文字が読めない着用者は、吸収性物品の特徴を把握することが困難であり、例えば吸収性能の違いを認識して吸収性物品を選択することができないおそれがある。また、着用者は、吸収性物品の特徴を認識できないと、選択した吸収性物品が所望の吸収性能を有しているかを把握できず、使用時の安心感を得ることができないおそれがある。
【０００５】
そこで、本発明は、上述の課題に鑑みてなされたものであり、着用者が吸収性物品の吸収性能を直感的に把握することができ、着用者が使用時の安心感を得ることができる吸収性物品、及びこの吸収性物品を収容する吸収性物品の包装体を提供することを目的とする。
【課題を解決するための手段】
【０００６】
上述した課題を解決するため、本発明の例示的側面としての吸収性物品は、次のような特徴を有する。吸収性物品（吸収性物品１）は、液透過性の表面シート（表面シート１０）と、液不透過性の裏面シート（裏面シート２０）と、表面シートと裏面シートとの間に配置される吸収体（吸収体３０）とを有し、吸収性物品の吸収性能に対応付けられた表示要素（花柄部６０、星柄部６１、月柄部６２、ハート柄部６３、太陽柄部６４）を有する性能表示部（性能表示部５１,５２等）を備えており、表示要素は、絵柄及び／又は記号であって、表示要素の内容及び数によって吸収性物品の吸収性能を示すように構成されている。
【０００７】
また、本発明の他の例示的側面としての吸収性物品の包装体は、次のような特徴を有する。吸収性物品の包装体（包装体１００）は、上記に記載の吸収性物品を収容する吸収性物品の包装体であって、吸収性物品の性能表示部に対応付けられた包装性能表示部（包装性能表示部１１０）を備える。
【発明の効果】
【０００８】
本発明によれば、着用者は、性能表示部を視認することによって吸収性能を把握することができる。また、表示要素は、絵柄及び／又は記号によって構成され、かつその内容及び数によって吸収性能を表示する。したがって、着用者は、文字等で吸収性能を表示する場合と比べて直感的に吸収性能を把握して、吸収性物品を選択したり、使用時の安心感を得たりすることができる。
【図面の簡単な説明】
【０００９】
【図１】本発明の第１の実施形態に係る第１吸収性物品及び第２吸収性物品の肌当接面側から見た平面図である。
【図２】本発明の第１の実施形態に係る第１吸収性物品の背面図である。
【図３】本発明の第２の実施形態に係る第３吸収性物品の肌当接面側から見た平面図である。
【図４】本発明の第２の実施形態に係る第４吸収性物品の肌当接面側から見た平面図である。
【図５】図３に示すＡ−Ａ断面図である。
【図６】第３の実施形態に係る吸収性物品の肌当接面側から見た平面図である。
【図７】第４の実施形態に係る吸収性物品の肌当接面側から見た平面図である。
【図８】第５の実施形態に係る吸収性物品の包装体の模式斜視図である。
【発明を実施するための形態】
【００１０】
（第１の実施形態）
図１及び図２を参照して、本発明の第１の実施形態に係る吸収性物品について説明する。本実施形態に係る吸収性物品１は、例えば、生理用ナプキンである。図１は、第１吸収性物品の肌当接面側から見た平面図であり、（ａ）は、第１吸収性物品１Ａを示しており、（ｂ）は第２吸収性物品１Ｂを示している。図２は、第１吸収性物品１Ａの背面図である。
【００１１】
吸収性物品１は、吸収性能が異なる第１吸収性物品１Ａ及び第２吸収性物品１Ｂを有する。具体的には、第１吸収性物品１Ａは、軽い日の昼用の生理用ナプキンであり、第２吸収性物品１Ｂは、重い日の昼用の生理用ナプキンである。したがって、第２吸収性物品１Ｂは、第１吸収性物品１Ａよりも長手方向及び幅方向に長く、かつ吸収性能が高くなるように（多くの経血を吸収可能に）構成されている。なお、以下の説明において、第１吸収性物品と第２吸収性物品とで共通の構成は、同符号を用いて説明を省略する。
吸収性物品１は、着用者の肌に当接する表面シート１０と、液体を透過しない液不透過性の裏面シート２０と、吸収体３０とを有する。吸収体３０は、表面シート１０と裏面シート２０との間に配設される。従って、吸収体３０は、図１において破線で示される。吸収体３０は、吸収性物品１の長手方向Ｌ及び幅方向Ｗにおける中央部分に配設される。また、吸収性物品１は、吸収性物品１の長手方向Ｌに直交する吸収体３０の幅方向Ｗ外側に設けられるサイドシート４１，４２と、ウイング部４３,４４を備える。
【００１２】
表面シート１０は、体液等の液体を透過する液透過性のシートである。表面シート１０は、少なくとも吸収体３０の表面を覆う。表面シート１０は、着用者の膣口（体液排出口）に対応する当接領域Ｓ１を有する。表面シート１０は、吸収性物品の長手方向において当接領域Ｓ１の後方に位置する後方領域Ｓ３と、当接領域Ｓ１の前方に位置する前方領域Ｓ２と、を有する。図１に示す第１吸収性物品１Ａは、前方領域Ｓ２と後方領域Ｓ３とが同一形状であり、その長さ及び面積が略同一である。一方、図２に示す第２吸収性物品１Ｂは、前方領域Ｓ２と後方領域Ｓ３の方が長手方向における長さが長い。
【００１３】
表面シート１０は、不織布、織布、有孔プラスチックシート、メッシュシート等、液体を透過する構造のシート状の材料であれば、特に限定されない。織布や不織布の素材としては、天然繊維、化学繊維のいずれも使用できる。
【００１４】
裏面シート２０は、裏面シート２０の長さと略同一の長さを有する。裏面シート２０は、ポリエチレン、ポリプロピレン等を主体としたフィルム、通気性の樹脂フィルム、スパンボンド、又はスパンレース等の不織布に通気性の樹脂フィルムが接合されたシートなどを用いることができる。裏面シート２０は、着用時の違和感を生じさせない程度の柔軟性を有する材料とすることが好ましい。
【００１５】
吸収体３０は、親水性繊維、パルプを含む。サイドシート４１，４２は、表面シート１０と同様の材料から選ぶことができる。但し、サイドシート４１，４２を乗り越えて吸収性物品１外方へ経血が流れることを防止するためには、疎水性又は撥水性を有することが好ましい。
【００１６】
サイドシート４１，４２は、表面シート１０の両側に配設される。サイドシート４１，４２は、吸収体３０の側縁の一部及びウイング部４３，４４を覆う。吸収性物品１では、表面シート１０、サイドシート４１，４２、及び裏面シート２０の周縁が接合されて、吸収体３０が内封される。表面シート１０と裏面シート２０との接合方法としては、ヒートエンボス加工、超音波、又はホットメルト型接着剤のいずれか一つ、又は複数を組み合わせることが可能である。
【００１７】
裏面シート２０において、ショーツと接触する表面（非当接面２０ａ）には、裏面シート２０の長手方向に沿って、接着材５０がライン状に塗布される（図２参照）。接着材５０は、裏面シート２０の長手方向Ｌに沿って複数ライン状に塗布される。ウイング部４３及びウイング部４４において、ショーツと接触する表面にもまた、接着材５０が塗布される。使用前の状態では、接着材５０には粘着性を保持するための保護シート７９が接着されている。保護シート７９は、使用時に着用者によって剥離される。  表面シート１０には、複数の圧搾溝（圧搾部）２１、２２、２３が設けられている。圧搾溝２１、２２、２３は、表面シート１０から吸収体３０までを厚さ方向Ｔに圧搾して構成されている（図５参照）。圧搾溝２１、２２、２３は、図１に示す吸収性物品１の平面視において、吸収体３０の長手方向Ｌ及び幅方向Ｗ内側において曲線状に設けられた圧搾溝２１と、前方領域Ｓ２と当接領域Ｓ１との間に配置された圧搾溝２２と、後方領域Ｓ３と当接領域Ｓ１との間に配置された圧搾溝２３と、を有する。
【００１８】
また、第１吸収性物品１Ａ及び第２吸収性物品１Ｂの後方領域Ｓ３には、それぞれ性能表示部４８，４９が設けられている。第１吸収性物品の性能表示部４８は、表示要素としての太陽柄部６４を１つ有しており、第２吸収性物品１Ｂの性能表示部４９は、表示要素としての太陽柄部６４を２つ有して構成されている。太陽柄部６４は、圧搾溝２１、２２、２３と同様に、表面シート１０から吸収体３０までを厚さ方向Ｔに圧搾して構成されている。なお、本実施形態では、圧搾溝２１,２２,２３と、表示要素としての太陽柄部６４とは、エンボス加工によって圧搾加工される。表示要素は、エンボス加工によって形成されているが、この構成に限られず、例えば印刷によって形成されていてもよいし、ホットメルト加工によって形成されていてもよい。
【００１９】
このように、吸収性能に対応付けられた表示要素を有する性能表示部４８,４９を吸収性物品１Ａ，１Ｂに設けることにより、着用者は、性能表示部４８,４９を視認することによって吸収性能を把握することができる。また、表示要素６０は、絵柄及び／又は記号によって構成され、かつその内容及び数によって吸収性能を表示する。したがって、着用者は、文字等で吸収性能を表示する場合と比べて直感的に吸収性能を把握することができる。
【００２０】
具体的には、表示要素の内容（太陽）から想起されるイメージ（例えば、明るいイメージ又は軽やかなイメージ）を用いて、吸収性物品の吸収性能を着用者に伝えることができる。
【００２１】
更に例えば、昼や明るいイメージを想起する絵柄としては、花柄のみならず、太陽柄、ハート柄を用いることができる。このような絵柄の表示要素を用いることにより、昼用の生理用ナプキンであることや、軽い日用（少ない日用）の生理用ナプキンであることを着用者に伝えることができる。一方、夜のイメージを想起する絵柄しては、星柄や月柄を用いることができる。このような表示要素を用いることにより、夜用の生理用ナプキンであることや、重い日用（多い日用）の生理用ナプキンであることを着用者に伝えることができる。
【００２２】
また、第２吸収性物品１Ｂは、第１吸収性物品１Ａよりも後方領域Ｓ３が長く構成されており、その後方領域Ｓ３に多くの表示要素が付されている。後方領域Ｓ３に配置する太陽柄部６４の数を多くすることにより、着用者に対して後方領域Ｓ３の長さを強調して直感的に伝えることができ、第２吸収性物品１Ｂが重い日用の生理用ナプキンであることを伝えることができる。  着用者は、太陽柄部６４のイメージやその数によって後方領域Ｓ３の長さを直感的に把握することができ、後方領域Ｓ３の長さによる使用時の安心感を得ることができる。すなわち、着用者は、睡眠時等、夜長時間使用する生理用ナプキンは、睡眠中の液漏れや長時間にわたる吸収力等を考慮するため、後方領域の長さが十分に長いことを把握すると安心感を得ることができる。太陽柄部６４の数によって、この第２吸収性物品１Ｂの吸収性能（夜用の生理用ナプキンであることや後方領域Ｓ３における吸収量が多いこと）を伝えることができる。
【００２３】
このように、絵柄によって吸収性能を示すことにより、文字等によって吸収性能を着用者に伝達する構成と比較して、絵柄等による装飾効果を発揮でき、吸収性物品１をかわいらしく装飾することができる。更に、着用者は、吸収性物品の選択時における指標が絵柄であるため、選択時に生理の憂鬱な気分を意識せずに、見た目で楽しんで選択することができる。
【００２４】
実施形態１に係る吸収性物品は、肌当接面側から性能表示部を視認できるように構成しており、着用者が吸収性物品を下着に装着する際に、吸収性能を着用者に伝えることができる。また、本発明に係る吸収性物品１は、この構成に限られず、裏面シート２０に性能表示部を付して、非当接面側から性能表示部を視認できるように構成してよい。更に、実施形態１に係る吸収性物品は、後方領域Ｓ３のみに性能表示部を配置しているが、前方領域Ｓ２のみに性能表示部を配置してもよいし、前方領域Ｓ２と後方領域Ｓ３の両方に性能表示部を配置してもよい。
【００２５】
（第２の実施形態）
図４及び図５を参照して、本発明の第２の実施形態に係る吸収性物品１について説明する。なお、第２の実施形態の説明においては、第１の実施形態と異なる構成について説明し、同様の構成については同符号を用いて説明を省略する。図３は、第３吸収性物品１Ｃの肌当接面側から見た平面図であり、図４は、第４吸収性物品１Ｄの肌当接面側から見た平面図である。図５は、図３に示すＡ−Ａ断面図である。
【００２６】
第２の実施形態に係る吸収性物品１は、吸収性能が異なる第３吸収性物品１Ｃ及び第４吸収性物品１Ｄを有する。具体的には、第３吸収性物品１Ｃは、昼用の生理用ナプキンであり、第４吸収性物品１Ｄは、夜用の生理用ナプキンである。したがって、第４吸収性物品１Ｄは、第３吸収性物品１Ｃよりも長手方向に長く、吸収性能が高くなるように（多くの経血を吸収可能に）構成されている。図３に示す第３吸収性物品１Ｃは、前方領域Ｓ２と後方領域Ｓ３とが同一形状であり、その長さ及び面積が略同一である。一方、図４に示す第４吸収性物品１Ｄは、前方領域Ｓ２と後方領域Ｓ３の方が長手方向における長さが長い。
【００２７】
第３吸収性物品１Ｃの前方領域Ｓ２及び後方領域Ｓ３には、表示要素としての花柄部６０を複数有する性能表示部５１,５２がそれぞれ設けられている。一方、第４吸収性物品１Ｄの前方領域Ｓ２及び後方領域Ｓ３には、表示要素としての星柄部６１を複数有する性能表示部５３,５４がそれぞれ設けられている。花柄部６０及び星柄部６１は、圧搾溝２１、２２、２３と同様に、表面シート１０から吸収体３０までを厚さ方向Ｔに圧搾して構成されている。なお、本実施形態では、圧搾溝２１,２２,２３と、表示要素としての花柄部６０及び星柄部６１とは、エンボス加工によって圧搾加工される。表示要素は、エンボス加工によって形成されているが、この構成に限られず、例えば印刷によって形成されていてもよいし、ホットメルト加工によって形成されていてもよい。
【００２８】
このように、吸収性能に対応付けられた表示要素を有する性能表示部５１〜５４を吸収性物品１Ｃ，１Ｄに設けることにより、着用者は、性能表示部５１〜５４を視認することによって吸収性能を把握することができる。また、表示要素は、絵柄及び／又は記号によって構成され、かつその内容及び数によって吸収性能を表示する。したがって、着用者は、文字等で吸収性能を表示する場合と比べて直感的に吸収性能を把握することができる。
【００２９】
具体的には、昼用の生理用ナプキンである第３吸収性物品１Ｃに花柄部６０を有する性能表示部を設け、夜用の生理用ナプキンである第４吸収性物品１Ｄに星柄部６１を有する性能表示部を設けることにより、表示要素の内容（花及び星）から想起されるイメージを用いて、各吸収性物品１の吸収性能を着用者に伝えることができる。
【００３０】
第３吸収性物品１Ｃの前方領域Ｓ２と後方領域Ｓ３とは、上述のように同じ領域であり、各領域に配置された性能表示部５１,５２は、同じ柄及び数の花柄部６０を有している。各性能表示部５１,５２は、それぞれ２つの花柄部６０を有している。２つの花柄部６０は、同じ形状であり、小さな花柄部６０Ａと大きな花柄部６０Ｂである。
【００３１】
第４吸収性物品１Ｄの後方領域Ｓ３は、上述のように前方領域Ｓ２よりも大きく、後方領域Ｓ３に配置された性能表示部５４は、前方領域Ｓ２に配置された性能表示部５３よりも大きい。前方領域Ｓ２に配置された性能表示部５３は、２つの星柄部６１を有している。２つの星柄部６１は、小さな星柄部６１Ａと、大きな星柄部６１Ｂである。前方領域Ｓ２に配置された性能表示部５４は、３つの星柄部６１を有している。３つの星柄部は、前方領域Ｓ２の性能表示部５３と同様の小さな星柄部６１Ａ及び大きな星柄部６１Ｂと、この大きな星柄部６１Ｂよりも更に大きな星柄部６１Ｃと、である。
【００３２】
後方領域Ｓ３の長手方向の長さが前方領域よりも長い第４吸収性物品１Ｄにおいて、後方領域Ｓ３に配置する星柄部６１の数を多くすることにより、着用者に対して後方領域Ｓ３の長さを強調して直感的に伝えることができ、第２吸収性物品１Ｄが夜用の生理用ナプキンであることを伝えることができる。更に、第２吸収性物品１Ｄに表示要素として星柄部を付しているため、この星柄部から想起されるイメージからも夜用の生理用ナプキンであることを着用者に直感的に伝えることができる。
【００３３】
着用者は、星柄部のイメージやその数によって後方領域Ｓ３の長さを直感的に把握することができ、後方領域の長さによる使用時の安心感を得ることができる。すなわち、着用者は、睡眠時等、夜長時間使用する生理用ナプキンは、睡眠中の液漏れや長時間にわたる吸収力等を考慮するため、後方領域の長さが十分に長いことを把握すると安心感を得ることができる。星柄部６１の数によって、この第４吸収性物品の吸収性能（夜用の生理用ナプキンであることや後方領域における吸収量が多いこと）を伝えることができる。
【００３４】
更に、第４吸収性物品１Ｄの星柄部６１は、長手方向内側に配置された星柄部よりも長手方向外側に配置された星柄部の方が大きく、長手方向外側に向かって徐々に大きなっている。よって、後方領域Ｓ３の長さを星柄部６１の大きさによっても強調することができる。なお、本実施形態では、星柄部６１Ａ〜６１Ｃ等複数の表示要素は、幅方向にずれて配置されているが、この構成に限られず。その中心が長手方向に沿うように一列に並んで配置されていてもよい。
【００３５】
なお、第２の実施形態では、第３吸収性物品よりも多く配置された第４吸収性物品１Ｄの３つ目の星柄部６１Ｃを、他の星柄部６１Ａ及び６０Ｂよりも大きな形状としているが、この構成に限られず、他の星柄部と同じ大きさであってもよい。また、複数の表示要素を備える吸収性物品において、表示要素の大きさを異ならせずに、同じ大きさとしてもよい。
【００３６】
図５に示すように、第３吸収性物品１Ｃは、圧搾溝２１,２２,２３と花柄部６０が厚さ方向において圧搾加工されている。圧搾加工は、表面シート１０と吸収体３０とが厚み方向Ｔに圧搾されている。したがって、圧搾溝２１,２２,２３及び花柄部６０は、吸収体３０の密度が高められた高圧搾領域である。一方、圧搾溝２１,２２,２３及び花柄部６０以外の部分は、高圧搾領域よりも密度が低い低圧搾領域である。したがって、高圧搾領域である圧搾溝及び花柄部は、低圧搾領域である周囲よりも吸収力が高い。
【００３７】
すなわち、表示要素である花柄部６０及び星柄部６１は、高圧搾領域であり、低圧搾領域である周囲よりも吸収力が高い。したがって、着用者は、装着前に花柄部の数によって、その吸収性物品の吸収力を直感的に認識でき、また、後方領域に多くの表示媒体が配置されていることによって、後方領域における吸収力に基づく安心感を得ることができる。更に、装着後は、高圧搾領域である表示要素や圧搾溝に液体が多く吸収されるため、その使用後の吸収された状態を視認して、更に安心感を得ることができる。
【００３８】
また、本実施形態に係る花柄部６０及び星柄部６１は、中心から放射状に延びる形状である。よって、表示要素の中央付近で吸収した経血を、放射状に周囲に流すことができ、表示要素全体としての吸収力を高めることができる。このような放射状の表示要素としては、太陽の絵柄の表示要素を例示することができる。更に、表示要素である花柄部６０及び星柄部６１は、一定領域を囲む形状であるため、囲んだ一定領域において液体を経血して吸収することができる。
【００３９】
（第３の実施形態）
次いで、第２の実施形態に係る吸収性物品について、図６を参照して詳細に説明する。
【００４０】
図６は、第３の実施形態に係る第５吸収性物品１Ｅ、第６吸収性物品１Ｆ、及び第７吸収性物品１Ｇの肌当接面側の平面図である。第５吸収性物品１Ｅ、第６吸収性物品１Ｆ、及び第７吸収性物品１Ｇは、いずれも夜用の生理用ナプキンであり、その形状及び長手方向の長さが異なる。第５吸収性物品１Ｅ、第６吸収性物品１Ｆ、及び第７吸収性物品１Ｇの性能表示部は、それぞれ表示要素として月柄部６２が設けられており、表示図柄の数はそれぞれ異なる。
【００４１】
表示要素である月柄部６２の数は、吸収性物品１の長手方向Ｌの長さ、より詳細には後方領域Ｓ３の長さに応じている。具体的には、後方領域Ｓ３の長さが長い吸収性物品１ほど、月柄部６２の数が多く設けられている。
【００４２】
図６に示すように、第５吸収性物品１Ｅには、１つの月柄部６２が設けられている。第６吸収性物品１Ｆには、２つの月柄部６２が設けられている。第７吸収性物品１Ｇの後方領域Ｓ３は、第５吸収性物品１Ｅの後方領域Ｓ３と長手方向の長さが同じ後方基部４６と、この後方基部４６に連なり、かつ後方基部４６よりも長手方向Ｌ外側に配置された延設部４７と、を有する。第６吸収性物品１Ｆの２つの月柄部６２のうち、１つ目の月柄部６２Ａは、後方基部４６に配置され、２つ目の月柄部６２Ｂは、延設部４７に配置されている。
【００４３】
第７吸収性物品１Ｇには、３つの月柄部６２が設けられている。第７吸収性物品１Ｇの後方領域Ｓ３は、第６吸収性物品１Ｆの後方領域Ｓ３と長手方向Ｌの長さが略同じ後方基部４６と、この後方基部４６に連なり、かつ後方基部４６よりも長手方向Ｌ外側に配置された延設部４７と、を有する。第７吸収性物品１Ｇの３つの月柄部６２のうち、１つ目の月柄部６２Ａ及び２つ目の月柄部６２Ｂは、後方基部４６に配置されている。具体的には、第７吸収性物品１Ｇの１つ目の月柄部６２Ａは、第６吸収性物品１Ｆの後方基部４６（第５吸収性物品１Ｅの後方領域）と同じ領域に配置され、２つ目の月柄部６２Ｂは、第６吸収性物品１Ｆの延設部４７に配置されている。更に、第７吸収性物品１Ｇの３つ目の月柄部６２Ｃは、第６吸収性物品１Ｆの後方領域Ｓ３よりも長い部分である延設部４７に配置されている。
【００４４】
このように、後方領域Ｓ３の長さが長いほど表示要素の数を多く配置することにより、各吸収性物品の長さを強調することができる。また、一方の吸収性物品よりも長手方向に長い他方の吸収性物品において、延設部４７に表示要素を配置することにより、第５吸収性物品１Ｅに対して第６吸収性物品１Ｆが長い部分や、第６吸収性物品１Ｆに対して第７吸収性物品１Ｇが長い部分を強調することができ、吸収性物品１の長手方向Ｌの長さを強調することができる。
【００４５】
また、月柄部６２の幅方向における長さは、長手方向の位置に応じて変化する。月柄部６２の幅方向における長さが最大となる位置Ｐ１は、長手方向における月柄部６２の内側端部Ｐ２よりも外側であり、かつ月柄部６２の外側端部Ｐ３よりも内側である。
【００４６】
当接領域Ｓ１に落ちた液体が後方領域Ｓ３に配置された表示要素に浸入する際は表示要素の長手方向内側から浸入するため、表示要素の幅方向長さが変化することにより、長手方向内側から進入した液体を長手方向外側に流しつつ一旦幅方向に拡散させ、その後、長手方向外側に流しつつ幅方向に集めることができる。よって、吸収性物品の内部で経血を納めることができ、経血等液体のもれを防止することができる。なお、このような幅方向における長さが変化する表示要素としては、月柄部の他にハート柄のハート柄部を例示できる。
【００４７】
（第４の実施形態）
次いで、第４の実施形態に係る吸収性物品について、図７を参照して詳細に説明する。図７は、第４の実施形態に係る第８吸収性物品１Ｈ、第９吸収性物品１Ｊ、及び第１０吸収性物品１Ｋの肌当接面側の平面図である。第８吸収性物品１Ｈ、第９吸収性物品１Ｊ、及び第１０吸収性物品１Ｋは、いずれも昼用の生理用ナプキンであり、その形状及び長手方向の長さは同じである。
【００４８】
第１の実施形態に係る吸収性物品１は、昼用の吸収性物品として１パターンの性能表示部を有しているが、実施形態３に係る吸収性物品は、同じ昼用の吸収性物品として複数パターンの性能表示部を有する。具体的には、第８吸収性物品１Ｈは、表示要素として１つのハート柄部６３と１つの太陽柄部６４を有し、第９吸収性物品１Ｊは、表示要素として２つのハート柄部６３を有し、第１０吸収性物品１Ｋは、表示要素として２つの太陽柄部６４を有する。
【００４９】
すなわち、昼のイメージを想起する複数の表示要素によって性能表示部を構成している。同じ吸収性能を有する吸収性物品に複数種類の性能表示部を設けることにより、同じ昼用の吸収性物品のバリエーションが増え、着用者は、選択時、使用時（着用時、交換時）において楽しむことができ、例えば、生理の気分を意識せずに楽しむことができる。
【００５０】
（第５の実施形態）
次いで、第５の実施形態について、図８に基づいて詳細に説明する。第５の実施形態は、吸収性物品１が包装シート７０によって個別に収容されており、この吸収性物品１を複数収容する包装体１００を備える。包装体１００は、複数の吸収性物品１を収容する袋形状である。包装体１００の内部には、上下方向に重ねされて複数の吸収性物品１が収容される。包装体１００の上部には、開口部１０１が設けられており、着用者は、開口部１０１を介して吸収性物品１を出し入れすることができる。なお、包装体１００の開口部１０１は、吸収性物品１を出し入れ可能に構成されていればよく、開口部１０１の位置や形状は、図８に示す例に限定されない。
【００５１】
包装体１００の外面１０５には、包装性能表示部１１０が設けられている。包装性能表示部１１０は、吸収性物品１の性能表示部に対応付けられており、表示要素としての星柄部６１を有する。着用者は、包装体１００の外部から星柄部６１を視認して、内部に収容されている吸収性物品１の吸収性能を把握することができる。したがって、着用者は、選択時に絵柄によって吸収性物品の性能を把握して選択することができる。
【００５２】
また、図８に示す第１１吸収性物品１Ｌ及び第１２吸収性物品１Ｍは、包装シート７０によって個別に包装されている。包装シート７０は、吸収性物品１の裏面シート２０側において吸収性物品１と対向する対向面と、吸収性物品１を収容した状態で外側に位置する非対向面７２と、を有する。
【００５３】
吸収性物品１は、幅方向に沿った所定の折り位置（図示せず）において、表面シート１０を内側にして折り畳まれる。吸収性物品１が折り畳まれた状態で、包装シート７０の長手方向における一方の端部が包装シート７０に貼着される。包装シート７０の端部は、粘着テープ７５によって包装シート７０の一部と貼着される。
【００５４】
第１１吸収性物品１Ｌは、表示要素である星柄部６１が裏面シート２０に付されており、包装シート７０を介して外側から表示要素を視認可能に構成されている。包装シート７０を、透明又は半透明な材質等、可視光を透過可能な材質によって構成される。表示要素は、包装性能表示部１１０の表示要素と同じ形状及び数の表示要素である。第１２吸収性物品１Ｍは、包装シート７０の粘着テープ７５に表示要素である星柄部６１が付されている。このように表示要素を設けることにより、吸収性物品１を包装シート７０で包んだ状態で、吸収性物品１の吸収性能を着用者に伝えることができる。
【００５５】
例えば、包装体１００から取り出した状態で吸収性物品１を保管したり、包装体１００から取り出した状態で吸収性物品１を持ち運んだりする場合であっても、着用者は、吸収性物品１が包装シート７０に包まれた状態で吸収性物品１の吸収性能を把握することができる。また、文字等で表す場合と比較して、一見して生理用ナプキンであるとわかなないため、中身を認識されたくない場合において好適である。
【００５６】
なお、性能表示部と包装性能表示部は、対応付けられていればよく、同一の形状であってもよいし、一部異なる形状であってもよい。具体的には、着用者が、同じ絵柄であると認識できればよく、例えば大きさが異なっていてもよい。
【００５７】
また、表示要素は、記号であってもよい。例えば、数字であってもよいし、矢印や音符記号によって構成してもよい。
【００５８】
なお、本実施形態では、吸収性物品１の表面シート１０と包装シート７０の両方に性能表示部を設けているが、この構成に限定されない。
【００５９】
また、本発明の実施形態では、包装シートに１個の吸収性物品を収容しているが、包装シートに２個以上の吸収性物品を収容するように構成してもよい。
【００６０】
また、本発明の吸収性物品は、生理用ナプキン以外に、パンティライナー（おりものシート）、失禁パッド等であってもよい。
【００６１】
このように、本発明は、ここでは記載していない様々な実施形態などを含むことは勿論である。したがって、本発明の技術的範囲は、上述の説明から妥当な特許請求の範囲に係る発明特定事項によってのみ定められるものである。
【符号の説明】
【００６２】
１…吸収性物品、  １０…表面シート、  ２０…裏面シート、  ３０・・・吸収体、  ２１,２２,２３…圧搾部、  ３０…吸収体、  ４１,４２…サイドシード、  ４３,４４…ウイング部、  ４６…後方基部、  ４７…延設部、  ４８，４９,５０,５１,５２,５３…性能表示部、  ６０…花柄部（表示要素）、  ６１…星柄部（表示要素）、  ６２…月柄部（表示要素）、  ６３…ハート柄部（表示要素）、  ６４…太陽柄部（表示要素）、  ７９…保護シート、  １００…包装体、  １０１…開口部、  １０２…包装性能表示部、  １０４…粘着シール、
【図１】
2012115343.tif 000003
【図２】
2012115343.tif 000004
【図３】
2012115343.tif 000005
【図４】
2012115343.tif 000006
【図５】
2012115343.tif 000007
【図６】
2012115343.tif 000008
【図７】
2012115343.tif 000009
【図８】
2012115343.tif 000010